(57)【要約】【課題】扱う毛髪の状態に応じて種類の異なる毛梳き具を使うことができるヘアアイロンを提供する。【解決手段】根元側で連結されて開閉する第１アーム１１と第２アーム１２、  毛髪を挟持するための第１毛髪挟持面２１と第２毛髪挟持面２２、  上記挟持された毛髪を加熱するための加熱手段、  毛髪を梳るための毛梳き部３１と、上記第１アーム１１または第２アーム１２に取り付けるための取付部４１とを有する毛梳きアタッチメント３０、  をそれぞれ備え、  上記毛梳きアタッチメント３０は、上記第１アーム１１または第２アーム１２の少なくともいずれかの先端側において、上記第１毛髪挟持面２１または第２毛髪挟持面２２に対して上記毛梳き部３１が沿うように、上記第１アーム１１または第２アーム１２の外側に上記取付部４１が着脱可能に取り付けられるようになっている。【選択図】図１
2020195738.tif 000002
【特許請求の範囲】
【請求項１】
開閉可能となるように根元側で連結された第１アームと第２アーム、
上記第１アームの先端側の内側に設けられた第１毛髪挟持面、
上記第２アームの先端側の内側に設けられて上記第１毛髪挟持面との間で毛髪を挟持するための第２毛髪挟持面、
上記第１毛髪挟持面と第２毛髪挟持面の少なくともいずれかに対応して設けられ、上記挟持された毛髪を加熱するための加熱手段、
毛髪を梳るための毛梳き部と、上記第１アームまたは第２アームに取り付けるための取付部とを有する毛梳きアタッチメント、
をそれぞれ備え、
上記毛梳きアタッチメントは、上記第１アームまたは第２アームの少なくともいずれかの先端側において、上記第１毛髪挟持面または第２毛髪挟持面に対して上記毛梳き部が沿うように、上記第１アームまたは第２アームの外側に上記取付部が着脱可能に取り付けられるようになっている
ことを特徴とするヘアアイロン。
【請求項２】
上記第１アームまたは第２アームの幅方向における上記毛梳き部の配置を変更可能に上記毛梳きアタッチメントを取り付けるよう構成されている
請求項１記載のヘアアイロン。
【請求項３】
上記毛梳きアタッチメントは、上記毛梳き部が、第１アームまたは第２アームの先端側ほど内側にせり出している
請求項１または２記載のヘアアイロン。
【請求項４】
上記毛梳き部が櫛部であり、
上記櫛部は、歯先が、第１アームまたは第２アームの先端側ほど内側にせり出している
請求項３記載のヘアアイロン。
【請求項５】
上記毛梳きアタッチメントは、上記毛梳き部が付勢手段で支持されている
請求項３記載のヘアアイロン。
【請求項６】
上記毛梳き部がブラシ体を含み、
上記ブラシ体は、第１アームまたは第２アームの先端側が付勢手段で支持され、反対側を基点に揺動しうるように構成されている
請求項５記載のヘアアイロン。
【請求項７】
上記毛梳き部が、上記第１アームまたは第２アームの幅方向における両側に配置されている
請求項１〜６のいずれか一項に記載のヘアアイロン。
【請求項８】
請求項１〜７のいずれか一項に記載のヘアアイロンに用いられる、上記毛梳きアタッチメント。
【発明の詳細な説明】
【技術分野】
【０００１】
本発明は、毛髪を挟んで加温することにより毛髪の形状を整える、ヘアアイロンおよびそれに用いる毛梳きアタッチメントに関するものである。
【背景技術】
【０００２】
一般に、縮毛矯正やアイロンブロー，トリートメント施術などの整髪に、ヘアアイロンが使用される。このようなヘアアイロンは、一対のアーム部材の一端が回動可能に連結され、両アーム部材の他端側に対面する発熱板が設けられている。加熱した両発熱板で毛髪を狭んだ状態で、毛先に向かってヘアアイロンを摺動させることにより、毛髪全体を加熱して整髪を行う。
このようなヘアアイロンに関する先行技術文献として、本出願人は下記の特許文献１〜３を把握している。
【先行技術文献】
【特許文献】
【０００３】
【特許文献１】特開２００７−７５５７３号公報
【特許文献２】特開２０１４−６８９８８号公報
【特許文献３】特表２０１７−５１５５９０号公報
【０００４】
上記特許文献１〜３には、櫛付きのヘアアイロンが開示されている。
【０００５】
上記特許文献１には、つぎの記載がある。
［課題を解決するための手段］
本来、髪を真っ直ぐにしたい人が、使う電気ストレートアイロンですが、髪を櫛で押さえて電気ストレートアイロンの本体に、髪を通させなくては、髪を真っ直ぐな状態には出来ません。そこで、２本の高熱ヒートの片側１本の両側面に、櫛を２本付ける事により、片手で挟むだけで、とかしながら綺麗なストレートに出来ます。
【０００６】
上記特許文献２には、つぎの記載がある。
［要約］
［解決手段］ヘアアイロンでは、髪挟み腕１と髪挟み腕２とがヒンジ３で連結されて開閉可能になっており、加温部１１及び２１が、髪挟み腕１及び２の対向部分に夫々設けられている。髪挟み腕１の両側部に、櫛部４１及び４２が取り付けられている。櫛部４１及び４２の櫛歯の長さは、ヘアアイロンを閉じた状態で髪挟み腕２の両側部に沿うようになっている。櫛歯の長さが十分な長さであるので、大量の毛髪をまとめて押さえることができ、効果的に毛髪を加温して毛髪の形状を整えることができる。また、毛髪を梳きながら毛髪の加温を行うことができる。
【０００７】
上記特許文献３には、つぎの記載がある。
［００１２］
したがって、本発明は、ハンドヘルド式のトリートメントユニットを含むヘアスタイリング装置に関し、ハンドヘルド式のトリートメントユニットは、２つのアームを有しており、２つのアームは、互いに向き合っている２つの表面を備えるクランプを形成するように構成されているとともに、髪の房がクランプされることを可能にする。・・・（中略）・・・アームのうちの１つが、前記アームの表面のうちの１つの下流または上流に位置付けされているくしを有するということは注目すべきものである。
【発明の開示】
【発明が解決しようとする課題】
【０００８】
しかしながら、上記特許文献１〜３の技術は、アーム部材に櫛を直接に取り付けるようにしたものである。ヘアスタイリングの分野では、扱う毛髪の状態に応じて櫛等の毛梳き具は、種類の異なるものを使うことがよく行われる。しかし、上記特許文献１〜３の技術では、種類の異なる毛梳き具に交換することができないか極めて困難である。
【０００９】
本発明は、上記事情に鑑み、下記の目的をもってなされた。
扱う毛髪の状態に応じて種類の異なる毛梳き具を使うことができるヘアアイロンおよびそれに用いる毛梳きアタッチメントを提供する。
【課題を解決するための手段】
【００１０】
請求項１記載のヘアアイロンは、上記目的を達成するため、下記の構成を採用した。
開閉可能となるように根元側で連結された第１アームと第２アーム、
上記第１アームの先端側の内側に設けられた第１毛髪挟持面、
上記第２アームの先端側の内側に設けられて上記第１毛髪挟持面との間で毛髪を挟持するための第２毛髪挟持面、
上記第１毛髪挟持面と第２毛髪挟持面の少なくともいずれかに対応して設けられ、上記挟持された毛髪を加熱するための加熱手段、
毛髪を梳るための毛梳き部と、上記第１アームまたは第２アームに取り付けるための取付部とを有する毛梳きアタッチメント、
をそれぞれ備え、
上記毛梳きアタッチメントは、上記第１アームまたは第２アームの少なくともいずれかの先端側において、上記第１毛髪挟持面または第２毛髪挟持面に対して上記毛梳き部が沿うように、上記第１アームまたは第２アームの外側に上記取付部が着脱可能に取り付けられるようになっている。
【００１１】
請求項２記載のヘアアイロンは、請求項１記載の構成に加え、下記の構成を採用した。
上記第１アームまたは第２アームの幅方向における上記毛梳き部の配置を変更可能に上記毛梳きアタッチメントを取り付けるよう構成されている。
【００１２】
請求項３記載のヘアアイロンは、請求項１または２記載の構成に加え、下記の構成を採用した。
上記毛梳きアタッチメントは、上記毛梳き部が、第１アームまたは第２アームの先端側ほど内側にせり出している。
【００１３】
請求項４記載のヘアアイロンは、請求項３記載の構成に加え、下記の構成を採用した。
上記毛梳き部が櫛部であり、
上記櫛部は、歯先が、第１アームまたは第２アームの先端側ほど内側にせり出している。
【００１４】
請求項５記載のヘアアイロンは、請求項３記載の構成に加え、下記の構成を採用した。
上記毛梳きアタッチメントは、上記毛梳き部が付勢手段で支持されている。
【００１５】
請求項６記載のヘアアイロンは、請求項５記載の構成に加え、下記の構成を採用した。
上記毛梳き部がブラシ体を含み、
上記ブラシ体は、第１アームまたは第２アームの先端側が付勢手段で支持され、反対側を基点に揺動しうるように構成されている。
【００１６】
請求項７記載のヘアアイロンは、請求項１〜６のいずれか一項に記載の構成に加え、下記の構成を採用した。
上記毛梳き部が、上記第１アームまたは第２アームの幅方向における両側に配置されている。
【００１７】
請求項８記載の毛梳きアタッチメントは、上記目的を達成するため、下記の構成を採用した。
請求項１〜７のいずれか一項に記載のヘアアイロンに用いられる、上記毛梳きアタッチメント。
【発明の効果】
【００１８】
請求項１記載のヘアアイロンは、毛梳きアタッチメントを備えている。上記毛梳きアタッチメントは、毛髪を梳るための毛梳き部と、第１アームまたは第２アームに取り付けるための取付部を有する。上記毛梳きアタッチメントは、上記第１アームまたは第２アームの少なくともいずれかの先端側に取り付けられる。このとき、上記毛梳き部が、上記第１毛髪挟持面または第２毛髪挟持面に対して沿うようになる。また、上記取付部が、上記第１アームまたは第２アームの外側に着脱可能に取り付けられる。
このため、扱う毛髪の状態が変われば、それに応じた種類の毛梳き部を有した毛梳きアタッチメントに取り換えて使用することができる。
加熱プレートで毛髪を挟むだけの従来式のヘアアイロンでは、毛束を十分に毛梳きできないまま加熱プレートで挟んでしまい、挟んだ毛束に対して均一に熱を入れることが難しかった。本発明のヘアアイロンであれば、毛梳きアタッチメントの毛梳き部で十分に毛梳きした状態での毛束を上記第１毛髪挟持面と第２毛髪挟持面で挟んで加熱できるため、熟練していない施術者でも簡単に、毛束に均一な熱を入れることができる。
また、加熱プレートで毛髪を挟むだけの従来式では、加熱プレートで毛髪を挟んだ状態でヘアアイロンを引っ張って毛髪にテンションを掛けようとする。このような施術をすると、施術者の好みや癖によって、テンションのかかり具合がまちまちになってしまう。テンションが低すぎると毛髪は充分に延びないし、反対に高すぎるとかえって毛髪は縮れてしまう。本発明のヘアアイロンであれば、毛梳きアタッチメントの毛梳き部が挟んだ毛束に適切なテンションをかけてくれるため、施術者による仕上がり状態のばらつきが少なくなる。
従来式のヘアアイロンでは、ヘアアイロンを一方の手で操作しながら、他方の手でブラシか櫛を使って毛髪を梳らなければならない。この場合、一束の毛髪にアイロンを当て終えると、ブラシや櫛を持ち替えて次の一束を掬い取って加熱プレートで挟む。そして再び、ヘアアイロンを一方の手で操作しながら他方の手でブラシか櫛で毛髪を梳る。このような作業には熟練が必要で、施術者の熟練度によって時間がかかったり仕上がりにばらつきが生じたりしていた。本発明のヘアアイロンであれば、このような問題が解消し、熟練の必要がない簡単な操作でばらつきの少ない仕上がりが得られる。特に頭頂部において、毛髪の根元付近にアイロンをあてる場合、掬った毛髪を鉛直上方向に持ち上げたままで毛髪を挟む必要がある。このような動作は、ブラシや櫛を持ち替えるのが極めて困難である。本発明のヘアアイロンであれば、ブラシや櫛を持ち替えなくても施術できるため、このような問題が解消し、熟練の必要がない簡単な操作でばらつきの少ない仕上がりが得られる。
【００１９】
請求項２記載のヘアアイロンは、上記毛梳きアタッチメントを、上記第１アームまたは第２アームの幅方向における上記毛梳き部の配置を変更可能に取り付けることができる。このため、第１毛髪挟持面と第２毛髪挟持面で毛髪を挟んだ状態で、毛先に向かってヘアアイロンを摺動させるときに、上記毛梳き部の配置を、毛先側と反対側と、いずれにも変更して取付けることができる。したがって、毛髪の状態や、右利き左利きなどの施術者の好みに応じて毛梳き部の配置を変更して使用することができる。
【００２０】
請求項３記載のヘアアイロンは、上記毛梳き部が第１アームまたは第２アームの先端側ほど内側にせり出している。
第１アームと第２アームは根元側で連結されて開閉するため、第１アームと第２アームを開いた状態では、先端側の方がより距離が遠い。第１アームと第２アームを閉じるときには、根元側から先に近づいてゆく。そこで、第１アームまたは第２アームの先端側ほど上記毛梳き部を内側にせり出したことにより、上記毛梳き部が毛髪に対し、先端側から根元側までより均一に作用するようになる。
【００２１】
請求項４記載のヘアアイロンは、上記毛梳き部が櫛部である。上記櫛部は、歯先が、第１アームまたは第２アームの先端側ほど内側にせり出している。このため、上記櫛部が毛髪に対し、先端側から根元側までより均一に作用するようになる。
【００２２】
請求項５記載のヘアアイロンは、上記毛梳き部が付勢手段で支持されている。このため、内側にせり出した先端側において、毛髪に作用した時に上記付勢手段の付勢力に抗して上記毛梳き部が沈む。したがって、上記毛梳き部が毛髪に対し、先端側から根元側までより均一に作用するようになる。
【００２３】
請求項６記載のヘアアイロンは、上記毛梳き部がブラシ体を含む。上記ブラシ体は、第１アームまたは第２アームの先端側が付勢手段で支持され、反対側を基点に揺動する。このため、内側にせり出した先端側が毛髪に作用した時に、上記ブラシ体は反対側を基点に揺動し、付勢手段の付勢力に抗して上記ブラシ体の先端側が沈む。したがって、上記ブラシ体が毛髪に対し、先端側から根元側までより均一に作用するようになる。
【００２４】
請求項７記載のヘアアイロンは、上記毛梳き部が、上記第１アームまたは第２アームの幅方向における両側に配置されている。
このため、上記第１アームと第２アームを閉じて、上記第１毛髪挟持面と第２毛髪挟持面で毛束を挟んだ状態で、毛先側と頭皮側の双方に毛梳き部が配置される。この状態でヘアアイロンを毛先側にスライド移動させると、毛先側に配置された毛梳き部で毛束が梳かれて平行になりながら、上記第１毛髪挟持面と第２毛髪挟持面のあいだを順次通過する。また、頭皮側に配置された毛梳き部を毛束が通過することにより、毛束を構成する各毛髪が左右にズレることが防止され、通過する各毛髪に対して均一にテンションがかかる。このため、施術者の熟練度が低くても良好なアイロンの仕上がりとなり、毛髪に与えるダメージが減少し、施術を受ける者が感じる不快感も大幅に減少する。
【００２５】
請求項８記載の毛梳きアタッチメントは、上述した各効果を奏する。
【図面の簡単な説明】
【００２６】
【図１】本発明の第１実施形態のヘアアイロンを示す図である。
【図２】上記第１実施形態に用いるヘアアイロン本体を示す斜視図である。
【図３】上記第１実施形態における毛梳きアタッチメントを示す図である。
【図４】第２実施形態のヘアアイロンを示す図である。
【図５】上記第２実施形態における毛梳きアタッチメントを示す図である。
【図６】第３実施形態のヘアアイロンを示す図である。
【図７】上記第３実施形態における毛梳きアタッチメントの第１アタッチメントを示す図である。
【図８】上記第３実施形態における毛梳きアタッチメントの第２アタッチメントを示す図である。
【図９】第４実施形態における毛梳きアタッチメントを示す図である。
【図１０】第５実施形態における毛梳きアタッチメントを示す図である。
【図１１】第６実施形態における毛梳きアタッチメントを示す図である。
【図１２】第６実施形態の作用を説明する図である
【図１３】変形例とその使用状態を示す図である。
【発明を実施するための形態】
【００２７】
つぎに、本発明を実施するための形態を説明する。
【００２８】
◆第１実施形態
図１〜図３は、第１実施形態のヘアアイロンを説明する図である。
このヘアアイロンは、ヘアアイロン本体１０と、毛梳きアタッチメント３０とを備えている。
【００２９】
〔ヘアアイロン本体１０〕
図２は、上記ヘアアイロン本体１０を示す斜視図である。
上記ヘアアイロン本体１０は、第１アーム１１と第２アーム１２、第１毛髪挟持面２１と第２毛髪挟持面２２、および加熱手段（図では隠れて見えない）を備えている。
【００３０】
上記第１アーム１１と第２アーム１２は、開閉可能となるように根元側のヒンジ構造部１３を介して連結されている。上記ヒンジ構造部１３側の端部には、上記加熱手段等に電気を送るための電源コード１４が接続されている。
上記第１アーム１１と第２アーム１２の上記ヒンジ構造部１３に近い根本側はそれぞれ、使用者が握って開閉操作するための第１把持部１１Ａと第２把持部１２Ａである。
上記第１アーム１１と第２アーム１２の先端側はそれぞれ、毛髪を挟持するための第１挟持部１１Ｂと第２挟持部１２Ｂである。
【００３１】
上記第１挟持部１１Ｂと第２挟持部１２Ｂは、それぞれ大略カマボコ型に形成されている。上記第１挟持部１１Ｂと第２挟持部１２Ｂにはそれぞれ、平らな内側面に第１毛髪挟持面２１と第２毛髪挟持面２２が設けられている。上記第１挟持部１１Ｂと第２挟持部１２Ｂの背側（外側）２４は、上記カマボコ型の凸面である。
【００３２】
上記第１アーム１１の先端側（つまり上記第１挟持部１１Ｂ）の内側には、上記第１毛髪挟持面２１が設けられている。上記第２アーム１２の先端側（つまり上記第２挟持部１２Ｂ）の内側には、上記第１毛髪挟持面２１との間で毛髪を挟持するための第２毛髪挟持面２２が設けられている。
上記第１毛髪挟持面２１と第２毛髪挟持面２２の少なくともいずれかに対応し、上記挟持された毛髪を加熱するための加熱手段（図では隠れて見えない）が設けられる。この例では、上記第１毛髪挟持面２１と第２毛髪挟持面２２の双方にそれぞれ対応して上記加熱手段が設けられている。
【００３３】
上記第２アーム１２（図では下側）の上記第２把持部１２Ａには、上記加熱手段の加熱温度の設定等を行う操作面１５が設けられている。
【００３４】
上記ヘアアイロン本体１０は、たとえばつぎのようにして使用される。
まず、加熱手段に通電し、上記第１毛髪挟持面２１と第２毛髪挟持面２２を加熱する。加熱温度は操作面１５の操作で適宜に設定する。
使用においては一般に、図１（Ａ）の状態で、第１把持部１１Ａと第２把持部１２Ａを右手で支えて持つ。この状態で、上記第１毛髪挟持面２１と第２毛髪挟持面２２のあいだに毛髪を刺し入れる。このとき、毛先が手前にくるように毛髪を流す。
そして、第１把持部１１Ａと第２把持部１２Ａを施術者が握ることにより、上記第１毛髪挟持面２１と第２毛髪挟持面２２で毛髪を挟持し、挟んだ毛髪に熱を与えながら、上記ヘアアイロン本体１０を毛先に向かってスライド移動させ、毛髪にアイロン効果を与える。
【００３５】
このとき、上記毛梳きアタッチメント３０により、毛梳きを行いながら毛髪にアイロン効果を与えることができる。
【００３６】
〔毛梳きアタッチメント３０〕
図１は、上記ヘアアイロン本体１０に上記毛梳きアタッチメント３０を取り付けた状態を示す。（Ａ）は斜視図であり、（Ｂ）は横から見た図、（Ｃ）は第１アーム側から見た図である。
【００３７】
上記毛梳きアタッチメント３０は、上記ヘアアイロン本体１０の、上記第１アーム１１または第２アーム１２に取り付けることができる。この例では、上記第１アーム１１に取り付ける状態を説明する。
図１に示すように、上記毛梳きアタッチメント３０は、上記第１アーム１１に取り付けるときは、第１挟持部１１Ｂの背側（外側）２４に取り付けられる。図示していないが、上記毛梳きアタッチメント３０を上記第２アーム１２に取り付けるときは、第２挟持部１２Ｂの背側（外側）２４に取り付けることができる。
【００３８】
図３は、上記毛梳きアタッチメント３０を示す図である。（Ａ）は斜視図、（Ｂ）は取付け対象である第１アーム１１の長手方向に見た図である。
【００３９】
上記毛梳きアタッチメント３０は、毛梳き部３１と取付部４１とを有する。
上記取付部４１は、第１挟持部１１Ｂまたは第２挟持部１２Ｂの背側（外側）２４に外側から嵌り、この毛梳きアタッチメント３０を、上記第１アーム１１または第２アーム１２に取り付けるためのものである。
上記毛梳き部３１は、第１把持部１１Ａと第２把持部１２Ａを施術者が握り、上記第１毛髪挟持面２１と第２毛髪挟持面２２で毛髪を挟持した状態で、上記ヘアアイロン本体１０を毛先に向かってスライド移動させるときに、挟まれた毛髪を梳るものである。この例では、上記毛梳き部３１は、櫛部である。
【００４０】
上記取付部４１は、この例では、上記第１挟持部１１Ｂまたは第２挟持部１２Ｂの背側２４の凸面に対して、外側から嵌合するアーチ状に形成されている。具体的には、上記取付部４１は、２つのアーチ部４２と上記両アーチ部４２を繋ぐ一対の嵌合部４３とを備えている。
【００４１】
上記両アーチ部４２は、上記第１挟持部１１Ｂまたは第２挟持部１２Ｂの背側２４の凸面を跨ぐように配置される。
上記嵌合部４３は、第１挟持部１１Ｂまたは第２挟持部１２Ｂの長手方向に沿って配置された突条であり、上記第１挟持部１１Ｂまたは第２挟持部１２Ｂの両側に嵌合する。
つまり、上記第１挟持部１１Ｂまたは第２挟持部１２Ｂの両側に、上記両嵌合部４３が嵌り込むことができる段差部２３が設けられいる。上記両アーチ部４２の弾性力で、両嵌合部４３の嵌合が保持されるようになっている。また、上記両アーチ部４２を弾性変形させて両嵌合部４３を上記第１挟持部１１Ｂまたは第２挟持部１２Ｂの段差部２３から外すことにより、上記取付部４１を取り外すことができる。
【００４２】
〔取付け構造〕
したがって、上記毛梳きアタッチメント３０は、上記第１アーム１１または第２アーム１２の少なくともいずれかの先端側において、上記第１毛髪挟持面２１または第２毛髪挟持面２２に対して上記毛梳き部３１が沿うように、上記第１アーム１１または第２アーム１２の外側に上記取付部４１が着脱可能に取り付けられるようになっている。
つまり、上記毛梳きアタッチメント３０を上記第１アーム１１の背側２４に取り付けた状態で、上記毛梳き部３１が第１毛髪挟持面２１に沿って配置される。
また、上記毛梳きアタッチメント３０を上記第２アーム１１の背側２４に取り付けると、上記毛梳き部３１が第２毛髪挟持面２２に沿って配置される。
【００４３】
また、上記ヘアアイロンでは、上記第１アーム１１または第２アーム１２の幅方向における上記毛梳き部３１の配置を変更可能に、上記毛梳きアタッチメント３０を取り付けるよう構成されている。
【００４４】
図１に示した取付け状態は、上記第１アーム１１のアイロン導入側に毛梳き部３１を配置するよう取り付けた例である。つまり、第１把持部１１Ａと第２把持部１２Ａを施術者が右手で握って上記第１毛髪挟持面２１と第２毛髪挟持面２２で毛髪を挟持し、上記ヘアアイロン本体１０を毛先に向かってスライド移動させるときに、挟まれた毛髪は、第１毛髪挟持面２１と第２毛髪挟持面２２の間に挟み込まれる直前に、上記毛梳き部３１によって梳られる。
【００４５】
同様に、上記第２アーム１２のアイロン導入側に毛梳き部３１を配置するよう取り付けることもできる。
【００４６】
また、上記第１アーム１１のアイロン導出側に毛梳き部３１を配置するよう取り付けることもできる。つまり、第１把持部１１Ａと第２把持部１２Ａを施術者が右手で握って上記第１毛髪挟持面２１と第２毛髪挟持面２２で毛髪を挟持し、上記ヘアアイロン本体１０を毛先に向かってスライド移動させるときに、挟まれた毛髪が、第１毛髪挟持面２１と第２毛髪挟持面２２の間から出た直後に、上記毛梳き部３１によって梳られる。
【００４７】
同様に、上記第２アーム１２のアイロン導出側に毛梳き部３１を配置するよう取り付けることもできる。
【００４８】
〔第１実施形態の効果〕
本実施形態では、上記毛梳きアタッチメント３０が、毛髪を梳るための毛梳き部３１と、第１アーム１１または第２アーム１２に取り付けるための取付部４１を有する。上記毛梳きアタッチメント３０は、上記第１アーム１１または第２アーム１２の少なくともいずれかの先端側に取り付けられる。このとき、上記毛梳き部３１が、上記第１毛髪挟持面２１または第２毛髪挟持面２２に対して沿うようになる。また、上記取付部４１が、上記第１アーム１１または第２アーム１２の外側に着脱可能に取り付けられる。
このため、扱う毛髪の状態が変われば、それに応じた種類の毛梳き部３１を有した毛梳きアタッチメント３０に取り換えて使用することができる。
【００４９】
本実施形態は、上記毛梳きアタッチメント３０を、上記第１アーム１１または第２アーム１２の幅方向における上記毛梳き部３１の配置を変更可能に取り付けることができる。このため、第１毛髪挟持面２１と第２毛髪挟持面２２で毛髪を挟んだ状態で、毛先に向かってヘアアイロンを摺動させるときに、上記毛梳き部３１の配置を、毛先側と反対側と、いずれにも変更して取付けることができる。したがって、毛髪の状態や、右利き左利きなどの施術者の好みに応じて毛梳き部３１の配置を変更して使用することができる。
【００５０】
毛梳きアタッチメントを使用しなければ、ヘアアイロン本体１０を一方の手で操作しながら、他方の手でブラシか櫛を使って毛髪を梳らなければならない。この場合、一束の毛髪にアイロンを当て終えると、ブラシや櫛を持ち替えて次の一束を掬い取り、ヘアアイロン本体１０に挟む。そして再び、ヘアアイロン本体１０を一方の手で操作しながら他方の手でブラシか櫛で毛髪を梳る。このような作業には熟練が必要で、施術者の熟練度によって時間がかかったり仕上がりにばらつきが生じたりしていた。本実施形態では、このような問題が解消し、熟練の必要がない簡単な操作でばらつきの少ない仕上がりが得られる。
【００５１】
特に頭頂部において、毛髪の根元付近にアイロンをあてる場合、掬い取った毛髪を第１毛髪挟持面２１や第２毛髪挟持面２２に載せることができない。掬った毛髪を鉛直上方向に持ち上げたまま、第１毛髪挟持面２１と第２毛髪挟持面２２が鉛直縦方向になるようにアイロン本体１０を持って毛髪を挟む必要がある。このような動作では、ブラシや櫛を持ち替えながら行うのが極めて困難になる。本実施形態では、ブラシや櫛を持ち替えなくても施術できるため、このような問題が解消し、熟練の必要がない簡単な操作でばらつきの少ない仕上がりが得られる。
【００５２】
◆第２実施形態
図４は、第２実施形態のヘアアイロンを示す図であり、（Ａ）は斜視図、（Ｂ）は横から見た図、（Ｃ）は第１アーム側から見た図である。
図５は、上記第２実施形態における毛梳きアタッチメントを示す図であり、（Ａ）は斜視図、（Ｂ）は取付け対象であるアームの長手方向に見た図、Ｃは毛梳き部側から見た図である。
【００５３】
〔ブラシ部〕
この例は、第１の毛梳きアタッチメント５０Ａが第１アーム１１に取り付けられ、第２の毛梳きアタッチメント５０Ｂが第２アーム１２に取り付けられている。
第１の毛梳きアタッチメント５０Ａの第１の毛梳き部５１Ａと、第２の毛梳きアタッチメント５０Ｂの第２の毛梳き部５１Ｂは、それぞれブラシ部である。
図において、符号５２Ａは、第１の毛梳き部５１Ａを構成する第１の毛束５２Ａであり、符号５２Ｂは、第２の毛梳き部５１Ｂを構成する第２の毛束５２Ｂである。第１の毛束５２Ａおよび第２の毛束５２Ｂを構成する個々のブラシ毛は図示していない。
【００５４】
この例では、第１の毛梳き部５１Ａを構成する第１の毛束５２Ａと、第２の毛梳き部５１Ｂを構成する第２の毛束５２Ｂは、第１毛髪挟持面２１および第２毛髪挟持面２２に沿う方向（第１アーム１１および第２アーム１２の長手方向である）において、互い違いに配置されている。
【００５５】
〔第２実施形態の効果〕
本実施形態は、第１および第２の毛梳きアタッチメント５０Ａ，５０Ｂを備えている。上記第１および第２の毛梳きアタッチメント５０Ａ，５０Ｂは、毛髪を梳るための第１および第２の毛梳き部５１Ａ，５１Ｂと、第１アーム１１または第２アーム１２に取り付けるための取付部４１を有する。上記第１および第２の毛梳きアタッチメント５０Ａ，５０Ｂは、上記第１アーム１１または第２アーム１２の少なくともいずれかの先端側に取り付けられる。このとき、上記第１および第２の毛梳き部５１Ａ，５１Ｂが、上記第１毛髪挟持面２１または第２毛髪挟持面２２に対して沿うようになる。また、上記取付部４１が、上記第１アーム１１または第２アーム１２の外側に着脱可能に取り付けられる。
このため、扱う毛髪の状態が変われば、それに応じた種類の毛梳き部を有した毛梳きアタッチメントに取り換えて使用することができる。
【００５６】
本実施形態は、上記第１および第２の毛梳きアタッチメント５０Ａ，５０Ｂを、上記第１アーム１１または第２アーム１２の幅方向における上記第１および第２の毛梳き部５１Ａ，５１Ｂの配置を変更可能に取り付けることができる。このため、第１毛髪挟持面２１と第２毛髪挟持面２２で毛髪を挟んだ状態で、毛先に向かってヘアアイロンを摺動させるときに、上記第１および第２の毛梳き部５１Ａ，５１Ｂの配置を、毛先側と反対側と、いずれにも変更して取付けることができる。したがって、毛髪の状態や、右利き左利きなどの施術者の好みに応じて毛梳き部の配置を変更して使用することができる。
【００５７】
それ以外は、上記実施形態と同様であり、同様の作用効果を奏する。
【００５８】
◆第３実施形態
図６は、第３実施形態のヘアアイロンを示す図である。
【００５９】
本実施形態は、毛梳きアタッチメントとして第１アタッチメント６０Ａと第２アタッチメント６０Ｂを備えている。
第１アタッチメント６０Ａの第１毛梳き部６１Ａと、第２アタッチメント６０Ｂの第２毛梳き部６１Ｂは、それぞれブラシ部である。
この例では、上記第１アタッチメント６０Ａを第１アーム１１に取り付け、上記第２アタッチメント６０Ｂを第２アーム１２に取り付けた例を説明する。
【００６０】
〔第１アタッチメント〕
図７は、上記第３実施形態における毛梳きアタッチメントの第１アタッチメントを示す図であり、（Ａ）はブラシの毛先側から見た図、（Ｂ）は断面図、（Ｃ）は毛梳き部側から見た図、（Ｄ）は取付け対象であるアームの長手方向に見た図である。
【００６１】
上記第１アタッチメント６０Ａは、第１毛梳き部６１Ａが、ケース部６３とブラシ体６４を含んで構成されている。
【００６２】
上記ブラシ体６４は、第１毛髪挟持面２１または第２毛髪挟持面２２に沿って、第１毛束６２Ａが長手方向に一列形成されている。
【００６３】
上記ブラシ部６４は、第１アーム１１または第２アーム１２の先端側が付勢手段６５で支持され、反対側の軸６６を基点に揺動しうるように構成されている。また、上記第１アタッチメント６０Ａは、上記付勢手段６５に力が加わっていない初期状態では、上記第１毛梳き部６１Ａのブラシ体６４が、第１アーム１１または第２アーム１２の先端側ほど内側にせり出している。
【００６４】
これにより、上記ブラシ部６４の先端側（揺動側）が、毛髪に対して進退する方向に動く。このとき、上記ブラシ部６４の先端側（揺動側）は、付勢手段６５の付勢力によって、毛髪に対して接触する力が加減される。
【００６５】
〔第２アタッチメント〕
図８は、上記第３実施形態における毛梳きアタッチメントの第２アタッチメントを示す図であり、（Ａ）は斜視図、（Ｂ）は取付け対象であるアームの長手方向に見た図、（Ｃ）はブラシの毛先側から見た図である。
【００６６】
上記第２アタッチメント６０Ｂは、第２毛梳き部６１Ｂがブラシ体によって構成されている。上記第２毛梳き部６１Ｂのブラシ体は、第１毛髪挟持面２１または第２毛髪挟持面２２に沿って、第２毛束６２Ｂが長手方向に２列形成されている。
【００６７】
上記第１アタッチメント６０Ａの第１毛束６２Ａと、第２アタッチメント６０Ｂの第２毛束６２Ｂは、互い違いの位置関係に配置される。
つまり、第１アーム１１と第２アーム１２を閉じると、第２毛束６２Ｂのあいだ（図８において鎖線で示す位置）に第１毛束６２Ａが入り込むようになっている。
【００６８】
〔第３実施形態の効果〕
本実施形態は、上記第１毛梳き部６１Ａのブラシ体６４が、第１アーム１１または第２アーム１２の先端側ほど内側にせり出している。
第１アーム１１と第２アーム１２は根元側で連結されて開閉するため、第１アーム１１と第２アーム１２を開いた状態では、先端側の方がより距離が遠い。第１アーム１１と第２アーム１２を閉じるときには、根元側から先に近づいてゆく。そこで、第１アーム１１または第２アーム１２の先端側ほど上記第１毛梳き部６１Ａのブラシ体６４を内側にせり出したことにより、上記第１毛梳き部６１Ａのブラシ体６４が毛髪に対し、先端側から根元側までより均一に作用するようになる。
【００６９】
本実施形態は、上記第１毛梳き部６１Ａのブラシ体６４が、第１アーム１１または第２アーム１２の先端側が付勢手段６５で支持されている。このため、内側にせり出した先端側において、毛髪に作用した時に上記付勢手段６５の付勢力に抗して上記第１毛梳き部６１Ａのブラシ体６４が沈む。したがって、上記第１毛梳き部６１Ａのブラシ体６４が毛髪に対し、先端側から根元側までより均一に作用するようになる。
【００７０】
本実施形態は、上記第１毛梳き部６１Ａがブラシ体６４を含む。上記ブラシ体６４は、第１アーム１１または第２アーム１２の先端側が付勢手段６５で支持され、反対側を基点に揺動する。このため、内側にせり出した先端側が毛髪に作用した時に、上記ブラシ体６４は反対側を基点に揺動し、付勢手段６５の付勢力に抗して上記ブラシ体６４の先端側が沈む。したがって、上記ブラシ体６４が毛髪に対し、先端側から根元側までより均一に作用するようになる。
【００７１】
また、毛梳きアタッチメントを使用しなければ、上記第１毛髪挟持面２１と第２毛髪挟持面２２で毛髪を挟持してヘアアイロン本体１０を毛先に向かってスライド移動させるときに、施術者の感覚によって第１把持部１１Ａと第２把持部１２Ａを握る力に、ばらつきが生じやすい。上記第１毛髪挟持面２１と第２毛髪挟持面２２は挟んだ毛髪に熱を与えるためのものであるのに、施術者によっては「頼りなさ」を感じ、挟んだ毛髪に強いテンションをかけて擦ってしまうこともある。
【００７２】
本実施形態では、毛髪に対して上記ブラシ体６４が先端側から根元側まで均一に作用する。これにより、上下のブラシ体６４が毛髪を挟むことにより、毛束の幅方向において均一に毛髪を梳るとともに、均一にテンションを付与できる。このため、上記第１毛髪挟持面２１と第２毛髪挟持面２２に必要以上の力を加えて毛髪を挟むことがなくなる。したがって、上記第１毛髪挟持面２１と第２毛髪挟持面２２は、挟んだ毛髪に熱を与えるという、本来の機能だけを発揮する。つまり、施術者によって生じうる毛髪への力学的な影響のばらつきを小さくし、誰が施術しても最適な施術が施されるようになる。
【００７３】
それ以外は、上記各実施形態と同様であり、同様の作用効果を奏する。
【００７４】
◆第４実施形態
図９は、第４実施形態における毛梳きアタッチメント７０を示す図である。
【００７５】
この例では、上記毛梳き部７１が櫛部である。上記櫛部は、歯先が、第１アーム１１または第２アーム１２の先端側ほど内側にせり出している。
つまり、上記毛梳きアタッチメント７０は、上記毛梳き部７１が、第１アーム１１または第２アーム１２の先端側ほど内側にせり出している。
【００７６】
〔第４実施形態の効果〕
本実施形態は、上記毛梳き部７１が第１アーム１１または第２アーム１２の先端側ほど内側にせり出している。
第１アーム１１と第２アーム１２は根元側で連結されて開閉するため、第１アーム１１と第２アーム１２を開いた状態では、先端側の方がより距離が遠い。第１アーム１１と第２アーム１２を閉じるときには、根元側から先に近づいてゆく。そこで、第１アーム１１または第２アーム１２の先端側ほど上記毛梳き部７１を内側にせり出したことにより、上記毛梳き部７１が毛髪に対し、先端側から根元側までより均一に作用するようになる。
【００７７】
本実施形態は、上記毛梳き部７１が櫛部である。上記櫛部は、歯先が、第１アーム１１または第２アーム１２の先端側ほど内側にせり出している。このため、上記櫛部が毛髪に対し、先端側から根元側までより均一に作用するようになる。
【００７８】
それ以外は、上記各実施形態と同様であり、同様の作用効果を奏する。
【００７９】
◆第５実施形態
図１０は、第５実施形態における毛梳きアタッチメント８０を示す図である。
【００８０】
この例では、上記毛梳き部８１が櫛部である。この毛梳きアタッチメント８０では、第２アーム１２に取付けられた状態で、上記櫛部が、第２アーム１２から所定の距離Ａだけ離れた位置となるように設けられている。また、上記櫛部は、歯元８２が第２毛髪挟持面２２から反対側に所定の距離Ｂだけ、離れた位置になるように構成されている。上記この毛梳きアタッチメント８０を第１アーム１１に取付けることもでき、その場合、上記櫛部は、第１アーム１１から所定の距離Ａだけ離れた位置となるように設けられ、歯元８２が第１毛髪挟持面２１から反対側に所定の距離Ｂだけ離れた位置になる。
【００８１】
〔第５実施形態の効果〕
上記のようなオフセット構造により、毛髪を挟持するときの操作が行いやすくなる。
それ以外は、上記各実施形態と同様であり、同様の作用効果を奏する。
【００８２】
◆第６実施形態
図１１は、第６実施形態における毛梳きアタッチメント９０を示す図である。
【００８３】
この例では、上記毛梳き部９１が、上記第１アーム１１または第２アーム１２の幅方向における両側に配置されている。この例では、２つの毛梳き部９１をいずれも櫛部としたものを示している。
【００８４】
この毛梳きアタッチメント９０は、２つのアーチ部４２を含む取付部４１の両側に毛梳き部９１が配置されている。上記２つの毛梳き部９１それぞれに沿って嵌合部４３が設けられている。上記２つのアーチ部４２は、上記第１挟持部１１Ｂまたは第２挟持部１２Ｂの背側２４の凸面を跨ぐように配置される。
【００８５】
上記嵌合部４３は、第１挟持部１１Ｂまたは第２挟持部１２Ｂの長手方向に沿って配置された突条であり、上記第１挟持部１１Ｂまたは第２挟持部１２Ｂの両側に形成された段差部２３と嵌合する。上記両アーチ部４２の弾性力で、両嵌合部４３の嵌合が保持されるようになっている。また、上記両アーチ部４２を弾性変形させて両嵌合部４３を上記第１挟持部１１Ｂまたは第２挟持部１２Ｂの段差部２３から外すことにより、上記取付部４１を取り外すことができる。
【００８６】
〔第６実施形態の効果〕
第６実施形態では、上記毛梳き部９１が、上記第１アーム１１または第２アーム１２の幅方向における両側に配置されている。このため、上記第１アーム１１と第２アーム１２を閉じて、上記第１毛髪挟持面２１と第２毛髪挟持面２２で毛束を挟んだ状態で、毛先側と頭皮９４側の双方に毛梳き部９１が配置される。
【００８７】
図１２は、上記第６実施形態の作用を説明する図である。
図１２（Ａ）は毛梳きアタッチメントを使用しない状態であり、毛束を構成する各毛髪９３が左右にズレたまま、第１毛髪挟持面２１と第２毛髪挟持面２２に挟まれる。この状態でヘアアイロン本体１０を毛先側にスライドさせて各毛髪９３にテンションをかけることになる。したがって、施術を受ける者が感じる不快感が大きく、毛髪９３に与えるダメージも大きい。
図１２（Ｂ）は第６実施形態の毛梳きアタッチメントを使用した状態である。この状態でヘアアイロン本体１０を毛先側にスライド移動させると、毛先側に配置された毛梳き部９１で毛束が梳かれて平行になりながら、上記第１毛髪挟持面２１と第２毛髪挟持面２２のあいだを各毛髪９３が順次通過する。
このように、頭皮側に配置された毛梳き部９１を毛束が通過することにより、毛束を構成する各毛髪９３が左右にズレることが防止され、通過する各毛髪９３に対して均一にテンションがかかる。このため、施術者の熟練度が低くても良好なアイロンの仕上がりとなり、毛髪９３に与えるダメージが減少し、施術を受ける者が感じる不快感も大幅に減少する。
【００８８】
上記第６実施形態において、２つの毛梳き部９１のうち少なくとも頭皮９４側に配置するものを櫛部とするのが好ましい。これにより、上述したように、毛束を構成する各毛髪が左右にズレることが防止され、通過する各毛髪に対して均一にテンションがかかる。
また、２つの毛梳き部９１のうち毛先側に配置するものをブラシ部とすることもできる。このようにすることにより、各毛髪９３に対してより強いテンションを均一にかけることができる。
【００８９】
〔変形例〕
図１３（Ａ）に示すように、上記櫛部の構成として、毛梳きアタッチメント９０を第１アーム部１１（または第２アーム１２）に取り付けた状態で、歯元９２が第１毛髪挟持面２１（または第２毛髪挟持面２２）よりも内側に位置するようにすることができる。
【００９０】
図１３（Ｂ）は、毛梳きアタッチメント９０を使わないで第１毛髪挟持面２１と第２毛髪挟持面２１の間に毛束を挟んだ状態である。特に頭皮９４に近い部分において、第１毛髪挟持面２１と第２毛髪挟持面２２の角で毛髪９３が屈曲して接触する。こうなると、第１毛髪挟持面２１と第２毛髪挟持面２２の角の熱で、施術後に線状のアイロン跡が残ってしまう。
【００９１】
図１３（Ｃ）は、図１３（Ａ）に示す毛梳きアタッチメント９０を第１アーム１１に取り付けて、第１毛髪挟持面２１と第２毛髪挟持面２２の間に毛束を挟んだ状態である。このようにすることにより、第１毛髪挟持面２１と第２毛髪挟持面２２で毛束を挟んだ時に、第１毛髪挟持面２１の角に毛髪９３の屈曲部ができにくい。したがって、施術後に線状のアイロン跡が残るのを防止できる。
【００９２】
◆各実施形態の複合効果
加熱プレートで毛髪を挟むだけの従来式では、加熱プレートで毛髪を挟んだ状態でヘアアイロンを引っ張って毛髪にテンションを掛けようとする。このような施術をすると、施術者の好みや癖によって、テンションのかかり具合がまちまちになってしまう。テンションが低すぎると毛髪は充分に延びないし、反対に高すぎるとかえって毛髪は縮れてしまう。本発明のヘアアイロンであれば、毛梳きアタッチメントの毛梳き部が挟んだ毛束に適切なテンションをかけてくれるため、施術者による仕上がり状態のばらつきが少なくなる。  毛梳き部が櫛部のアタッチメントを使えば、櫛部によって挟んだ毛束に緩めのテンションがかかる。毛梳き部がブラシ部のアタッチメントを使えば、ブラシ部によって挟んだ毛束に強めのテンションをかけることができる。このように、施術の対象となる毛質によって適切なテンションは変動することから、それに合わせた適切な毛梳き部を有するアタッチメントに適宜変更して施術することができる。
【００９３】
本発明のヘアアイロンによれば、施術者の熟練度によらず均質なストレートパーマを施術できるし、毛質の異なる対象者に対しても、均質できれいなストレートパーマを提供することができる。
【００９４】
◆その他の変形例
以上は本発明の特に好ましい実施形態について説明したが、本発明は図示した実施形態に限定する趣旨ではなく、各種の態様に変形して実施することができ、本発明は各種の変形例を包含する趣旨である。
【００９５】
たとえば、第３実施形態において、ブラシ部を付勢手段で支持するのは、ブラシ部の先端に限定されず、中央部分などほかの位置とすることもできる。
【符号の説明】
【００９６】
１０：ヘアアイロン本体
１１：第１アーム
１１Ａ：第１把持部
１１Ｂ：第１挟持部
１２：第２アーム
１２Ａ：第２把持部
１２Ｂ：第２挟持部
１３：ヒンジ構造部
１４：電源コード
１５：操作面
２１：第１毛髪挟持面
２２：第２毛髪挟持面
２３：段差部
２４：背側
３０：毛梳きアタッチメント
３１：毛梳き部
４１：取付部
４２：アーチ部
４３：嵌合部
５０Ａ：第１の毛梳きアタッチメント
５０Ｂ：第２の毛梳きアタッチメント
５１Ａ：第１の毛梳き部
５１Ｂ：第２の毛梳き部
５２Ａ：第１の毛束
５２Ｂ：第２の毛束
６０Ａ：第１アタッチメント
６０Ｂ：第２アタッチメント
６１Ａ：第１毛梳き部
６１Ｂ：第２毛梳き部
６２Ａ：第１毛束
６２Ｂ：第２毛束
６３：ケース部
６４：ブラシ体
６５：付勢手段
６６：軸
７０：毛梳きアタッチメント
７１：毛梳き部
８０：毛梳きアタッチメント
８１：毛梳き部
８２：歯元
９０：毛梳きアタッチメント
９１：毛梳き部
９２：歯元
９３：毛髪
９４：頭皮
【図１】
2020195738.tif 000003
【図２】
2020195738.tif 000004
【図３】
2020195738.tif 000005
【図４】
2020195738.tif 000006
【図５】
2020195738.tif 000007
【図６】
2020195738.tif 000008
【図７】
2020195738.tif 000009
【図８】
2020195738.tif 000010
【図９】
2020195738.tif 000011
【図１０】
2020195738.tif 000012
【図１１】
2020195738.tif 000013
【図１２】
2020195738.tif 000014
【図１３】
2020195738.tif 000015